(57)【要約】【目的】　煩雑な操作を必要とせずに、高周波処置具使用時に生じる電磁ノイズを抑制できる電子内視鏡装置を提供する。【構成】　グランド端子を有するプロセッサと、高周波処置具を挿入部先端に挿通させる処置具挿通チャンネルを有する電子内視鏡とがコネクタ部を介して着脱可能な電子内視鏡装置において、グランド端子に導通するコンデンサ接地ケーブルと、処置具挿通チャンネルに導通接続された帰還端子と、この帰還端子に高周波電流発生装置に導通する導通ケーブルが接続されていない状態では処置具挿通チャンネルとコンデンサ接地ケーブルを導通させ、導通ケーブルが接続されている状態では処置具挿通チャンネルとコンデンサ接地ケーブルとの間を非導通に切り替えるスイッチ機構とを設けた。さらに、帰還端子及び導通ケーブルのいずれか一方に、バネ部材の弾性力により該帰還端子と導通ケーブルを着脱自在とする押込式コネクタを設けた。【選択図】　図３
2004130126.tif 000002
【特許請求の範囲】
【請求項１】
グランド端子を有するプロセッサと、高周波処置具を挿入部先端に挿通させる処置具挿通チャンネルを有する電子内視鏡とがコネクタ部を介して着脱可能な電子内視鏡装置において、
　前記グランド端子に導通するコンデンサ接地ケーブルと、
　前記処置具挿通チャンネルに導通接続された帰還端子と、
　この帰還端子に高周波電流発生装置に導通する導通ケーブルが接続されていない状態では前記処置具挿通チャンネルと前記コンデンサ接地ケーブルを導通させ、前記導通ケーブルが接続されている状態では前記処置具挿通チャンネルと前記コンデンサ接地ケーブルとの間を非導通に切り替えるスイッチ機構と、
を設けたことを特徴とする電子内視鏡装置。
【請求項２】
請求項１記載の電子内視鏡装置において、
　前記帰還端子は、前記コネクタ部に突設された中空の筒状端子であり、
　前記スイッチ機構は、
　この帰還端子内に嵌挿されていて、前記帰還端子に前記導通ケーブルが接続されていないとき前記帰還端子よりも外方に突出した自由位置で保持され、前記導通ケーブルが接続されているとき前記自由位置よりも押し込まれた押込位置で保持される突起部材と、
　この突起部材が自由位置にあるとき前記処置具挿通チャンネルと前記コンデンサ接地ケーブルを導通させ、押込位置にあるとき前記処置具挿通チャンネルと前記コンデンサ接地ケーブルを非導通とするスイッチ端子と、
を有する電子内視鏡装置。
【請求項３】
請求項１または２記載の電子内視鏡装置において、前記コンデンサ接地ケーブルは前記プロセッサに内蔵されている電子内視鏡装置。
【請求項４】
請求項１ないし３のいずれか一項に記載の電子内視鏡装置において、前記帰還端子及び該帰還端子に着脱される導通ケーブルのいずれか一方に、前記帰還端子と前記導通ケーブルをバネ部材の弾性力により着脱自在とする押込式コネクタを設けた電子内視鏡装置。
【請求項５】
請求項４記載の電子内視鏡装置において、前記押込式コネクタは前記導通ケーブルに設けられていて、前記バネ部材は、一方の開口端に前記帰還端子を弾性力により着脱自在に保持する筒状バネ部材である電子内視鏡装置。
【請求項６】
請求項５記載の電子内視鏡装置において、前記筒状バネ部材は、中空円筒の軸線方向に切り欠けを有するＣ型円筒バネ部材である電子内視鏡装置。
【請求項７】
請求項５又は６記載の電子内視鏡装置において、前記押込式コネクタはさらに、
　前記導通ケーブルの先端に固定され、該導通ケーブルが前記帰還端子に接続されたとき該帰還端子の突起部材を押し込む導電性部材と、
　前記筒状バネ部材の他方の開口端に挿嵌された、前記導電性部材を支持する支持部材と、
　前記筒状バネ部材の他方の開口端と前記支持部材と前記導電性部材と前記導通ケーブルとを一体に保持する外装カバーと、
を備えている電子内視鏡装置。
【請求項８】
請求項４記載の電子内視鏡装置において、前記押込式コネクタは前記導通ケーブルに設けられていて、前記バネ部材は、前記帰還端子を弾性力により着脱自在に保持するスナップリングである電子内視鏡装置。
【請求項９】
請求項８記載の電子内視鏡装置において、前記押込式コネクタはさらに、
　前記導通ケーブルの先端に固定され、該導通ケーブルが前記帰還端子に接続されたとき該帰還端子の突起部材を押し込む導電性部材と、
　この導電性部材と前記導通ケーブルの接続部を支持する小径挿通穴；この小径挿通穴に連通し、前記導電性部材を支持する中径挿通穴；及びこの中径挿通穴に連通し、前記導電性部材の先端面を露出させ、且つ、前記帰還端子を嵌合自在な大径挿通穴を有する第１外装カバーと、
　前記大径挿通穴に連通して前記帰還端子を挿通する中継挿通穴を有し、この中径挿通穴に前記スナップリングを挟み込んで前記第１外装カバーに取付けられた第２外装カバーと、
を備えている電子内視鏡装置。
【発明の詳細な説明】
【技術分野】
【０００１】
　本発明は、高周波処置具を用いる電子内視鏡装置に関する。
【背景技術】
【０００２】
　内視鏡では、処置具を挿通するための管路（処置具挿通チャンネル）を設けたものがある。上記処置具としては、例えば、高周波電流により病変部を切除または止血する高周波処置具が知られている。
【０００３】
　高周波処置具を用いる場合には、高周波電流発生装置の対極板を例えば患者の臀部に貼り付け、この状態で高周波処置具に高周波電流を流して病変部に処置を施す。このとき、高周波処置具を通って患者の体内に流れた高周波電流は、大部分が対極板を介して高周波電流発生装置に戻されるが、残り一部は漏れ電流（電磁ノイズ）となってモニタ画像を乱してしまうという問題があった。
【０００４】
　そこで従来では、高周波処置具に導通した帰還端子を内視鏡に設け、この帰還端子とプロセッサ装置のグランド端子を接地ケーブルにより接続することで、電磁ノイズを抑制している。
【特許文献１】特開２００３−６１８９９号公報
【発明の開示】
【発明が解決しようとする課題】
【０００５】
　しかしながら、近年では高周波処置具の形態も多様化しており、高周波処置具の機種によっては、帰還端子と高周波電流発生装置を接地ケーブルで接続し、漏れ電流を高周波電流発生装置に帰還させて電磁ノイズを抑制させるものもある。このため、帰還端子をプロセッサ側に接続するタイプと帰還端子を高周波処置具側に接続するタイプの両方を付け替えて使用する場合は、接続ケーブルの着脱及び取替作業が煩雑であり、この着脱及び取替作業が頻発するため操作性が悪化する。また従来では、ねじ込み式の接続コネクタにより、プロセッサ側又は高周波電流発生装置側の接地ケーブルを帰還端子に接続しているため、さらに接地ケーブルの着脱作業が煩雑になっていた。
【０００６】
　本発明は、煩雑な操作を必要とせずに、高周波処置具使用時に生じる電磁ノイズを抑制できる電子内視鏡装置を提供することを目的とする。
【課題を解決するための手段】
【０００７】
　本発明は、グランド端子を有するプロセッサと、高周波処置具を挿入部先端に挿通させる処置具挿通チャンネルを有する電子内視鏡とがコネクタ部を介して着脱可能な電子内視鏡装置において、グランド端子に導通するコンデンサ接地ケーブルと、処置具挿通チャンネルに導通接続された帰還端子と、この帰還端子に高周波電流発生装置に導通する導通ケーブルが接続されていない状態では処置具挿通チャンネルとコンデンサ接地ケーブルを導通させ、導通ケーブルが接続されている状態では処置具挿通チャンネルとコンデンサ接地ケーブルとの間を非導通に切り替えるスイッチ機構とを設けたことを特徴としている。
【０００８】
　上記構成によれば、導通ケーブルの着脱に応じて、処置具挿通チャンネルとコンデンサ接地ケーブルとの導通／非導通状態が自動的に切り替わる。よって、煩雑なケーブル取替作業を必要とせずに、帰還端子とプロセッサ装置のグランド端子を導通ケーブルで接続して電磁ノイズを抑制するタイプ及び帰還端子と高周波電流発生装置を導通ケーブルで接続して電磁ノイズを抑制するタイプの両方を取り替えて使うことができる。
【０００９】
　上記電子内視鏡装置において、具体的には例えば、帰還端子を、コネクタ部に突設された中空の筒状端子とする。ここでコネクタ部とは、電子内視鏡側のコネクタ部であってもプロセッサ側のコネクタ部であってもよい。そして、スイッチ機構には、中空筒状の帰還端子内に嵌挿されていて、帰還端子に導通ケーブルが接続されていないとき帰還端子よりも外方に突出した自由位置で保持され、導通ケーブルが接続されているとき自由位置よりも押し込まれた押込位置で保持される突起部材と；この突起部材が自由位置にあるとき処置具挿通チャンネルとコンデンサ接地ケーブルを導通させ、押込位置にあるとき処置具挿通チャンネルとコンデンサ接地ケーブルを非導通とするスイッチ端子と；を備えることが好ましい。
【００１０】
　コンデンサ接地ケーブルは、プロセッサに内蔵されているのが実際的である。
【００１１】
　帰還端子及び該帰還端子に着脱される導通ケーブルのいずれか一方には、バネ部材の弾性力により、帰還端子と導通ケーブルを着脱自在とする押込式コネクタを設けることが好ましい。
【００１２】
　上記押込式コネクタは導通ケーブルに設けることができる。この場合にバネ部材は、一方の開口端に帰還端子を弾性力により着脱自在に保持する筒状バネ部材とすることが好ましい。具体的に筒状バネ部材は、例えば、中空円筒の軸線方向に切り欠けを有するＣ型円筒バネ部材とすることができる。このような筒状バネ部材を備えた押込式コネクタはさらに、導通ケーブルの先端に固定され、該導通ケーブルが帰還端子に接続されたとき該帰還端子の突起部材を押し込む導電性部材と、筒状バネ部材の他方の開口端に挿嵌された、導電性部材を支持する支持部材と、筒状バネ部材の他方の開口端と支持部材と導電性部材と導通ケーブルとを一体に保持する外装カバーとを備えることが好ましい。
【００１３】
　あるいは上記バネ部材は、帰還端子を弾性力により着脱自在に保持するスナップリングであってもよい。このスナップリングを備えた押込式コネクタはさらに、導通ケーブルの先端に固定され、該導通ケーブルが帰還端子に接続されたとき該帰還端子の突起部材を押し込む導電性部材と、この導電性部材と導通ケーブルの接続部を支持する小径挿通穴；この小径挿通穴に連通し、導電性部材を支持する中径挿通穴；及びこの中径挿通穴に連通し、導電性部材の先端面を露出させ、且つ、帰還端子を嵌合自在な大径挿通穴を有する第１外装カバーと、大径挿通穴に連通して帰還端子を挿通する中継挿通穴を有し、この中径挿通穴にスナップリングを挟み込んで第１外装カバーに取付けられた第２外装カバーとを備えることが好ましい。
【発明の効果】
【００１４】
　本発明の電子内視鏡装置によれば、高周波電流発生装置に接続された導通ケーブルを帰還端子に着脱動作することで、処置具挿通チャンネルとコンデンサ接地ケーブルとの間が導通／非導通に自動的に切り替わる。よって、帰還端子をプロセッサに接続するタイプと高周波電流発生装置に接続するタイプの両方の高周波処置具を取り替えて使用する場合にも、煩雑なケーブル取替作業を必要とせずに、高周波処置具使用時に生じる電磁ノイズを良好に抑制することができる。
【００１５】
　また本発明の電子内視鏡装置によれば、高周波電流発生装置に接続された導通ケーブルと帰還端子をバネ部材の弾性力により着脱自在とする押込式コネクタを設けたので、導通ケーブルと帰還端子の着脱動作が容易になり、操作性がさらに向上する。
【発明を実施するための最良の形態】
【００１６】
　図１は、本発明の第１実施形態による電子内視鏡装置の全体構成図である。電子内視鏡装置は、被検者の体腔内を撮像する電子内視鏡１０、電子内視鏡１０が撮像した画像を各種処理するプロセッサ３０、プロセッサ３０により処理された画像を表示するＴＶモニタ４０、高周波処置具５０及びこの高周波処置具５０に高周波電流を供給する高周波電流発生装置５１とを有している。
【００１７】
　電子内視鏡１０は、可撓性を有する挿入部１１と、この挿入部１１の基部に接続された操作部１２と、この操作部１２から延出されたユニバーサルチューブ１３と、このユニバーサルチューブ１３の先端に設けられたコネクタ部１４とを有し、このコネクタ部１４を介してプロセッサ３０に着脱可能である。挿入部１１の先端面１１ａには、図２に示すように対物レンズ１５、配光レンズ１６、送気送水ノズル１７及び処置具挿通チャンネル出口１８ａが配置されている。対物レンズ１５によって結像された像は、ＣＣＤによって電子画像化され、プロセッサ３０を介してＴＶモニタ４０上で観察することができる。配光レンズ１６には、コネクタ部１４からユニバーサルチューブ１３、操作部１２及び挿入部１１内を通るライトガイドを介して、プロセッサ３０が備えた光源からの照明光が与えられる。送気送水ノズル１７は対物レンズ１５の洗浄用ノズルである。
【００１８】
　挿入部１１と操作部１２の連結部には、処置具挿通チャンネル出口１８ａに通じる処置具挿入突起１９が設けられている。高周波処置具５０は、この処置具挿入突起１９から挿入され、処置具挿通チャンネル１８を通って処置具挿通チャンネル出口１８ａから外方へ突出される。コネクタ部１４には、処置具挿通チャンネル出口１８ａに導通接続された帰還端子２０が突設されている。
【００１９】
　プロセッサ３０には、グランド端子Ｇ、このグランド端子Ｇと等電位となる等電位端子３１及びこの等電位端子３１に接続されたコンデンサ接地ケーブル３２が備えられている。
【００２０】
　本実施形態の主な特徴は、図１及び図３に示すように、高周波電流発生装置５１に導通接続された導通ケーブル５２が帰還端子２０に接続されているか否かに応じて、処置具挿通チャンネル１８とコンデンサ接地ケーブル３２との間が導通／非導通状態に切り替わる点にある。
【００２１】
　図４及び図５は、帰還端子２０付近の構造を示す部分断面図である。帰還端子２０は、中空の筒状端子であり、コネクタ部１４から外方に突出した状態で支持されている。帰還端子２０の内側には、ばね部材２１を介して突起部材２２が嵌挿されている。この突起部材２２及びコネクタ部１４は、絶縁材料により形成されている。突起部材２２の後端部にはスイッチ端子２３が固定され、スイッチ端子２３とコネクタ部１４との間には帰還端子２０及び突起部材２２を保持するスイッチ基板２４が固定されている。上記スイッチ端子２３は、導通ケーブル５２が帰還端子２０に接続されている場合に漏れ電流を高周波電流発生装置５１に戻すため、コンデンサ接地ケーブル３２を介して等電位端子３１に接続されている。図示されていないがスイッチ基板２４には、スイッチ端子２３に対向する位置に、該スイッチ端子２３に接するスイッチ端子が備えられている。
【００２２】
　帰還端子２０の外周には雄ねじ部２０ａが形成されている。導通ケーブル５２には、その先端５２ａに導電性部材５５が固定されており、この導電性部材５５を介して、雌ねじ部５９ａを内周面に有するナット５９が取付けられている。ナット５９の雌ねじ部５９ａに帰還端子２０の雄ねじ部２０ａを完全に螺合させることにより、導通ケーブル５２は帰還端子２０に対して回動不能に装着される。導通ケーブル５２を帰還端子２０から外すときには、ナット５９を左回りに回して雌ねじ部５９ａと雄ねじ部２０ａの螺合を外せばよい。
【００２３】
　図４に示すように帰還端子２０に導通ケーブル５２が接続されていない場合、突起部材２２は、ばね部材２１の付勢力により帰還端子２０よりも外方に突出した自由位置で保持される。突起部材２２が自由位置にあるとき、スイッチ端子２３がスイッチ基板２４に接し、処置具挿通チャンネル１８とコンデンサ接地ケーブル３２との間を導通状態とする。すなわち、図１に示すように、処置具挿通チャンネル１８がコンデンサ接地ケーブル３２を介して等電位端子３１に電気的に接続される（処置具挿通チャンネル１８が接地される）。この導通状態において、高周波処置具５０からの漏れ電流は処置具挿通チャンネル１８からスイッチ端子２３及びコンデンサ接地ケーブル３２を経由して等電位端子３１に流れ込む。よって、ＣＣＤによる画像信号に電磁ノイズを生じさせることがなく、ＴＶモニタ４０上に鮮明な内視鏡画像を表示することができる。
【００２４】
　一方、図５に示すように帰還端子２０に導通ケーブル５２が接続されている場合は、突起部材２２は、導通ケーブル５２によって帰還端子２０内に完全に押し込まれた押込位置で保持される。突起部材２２が押込位置にあるとき、スイッチ端子２３はスイッチ基板２４から離れ、処置具挿通チャンネル１８とコンデンサ接地ケーブル３２との間を非導通状態にする。この非導通状態において、高周波処置具５０'からの漏れ電流は処置具挿通チャンネル１８から帰還端子２０及び導通ケーブル５２を経由して高周波電流発生装置５１に戻される。この場合にも、ＣＣＤによる画像信号に電磁ノイズを生じさせることがなく、ＴＶモニタ４０上に鮮明な内視鏡画像を表示することができる。
【００２５】
　以上のように本実施形態では、導通ケーブル５２の着脱に応じて、処置具挿通チャンネル１８とコンデンサ接地ケーブル３２の間が非導通と導通とに自動的に切り替わる。よって、帰還端子２０をプロセッサ３０の等電位端子３１に接続することで電磁ノイズが抑制されるタイプの高周波処置具５０と、帰還端子２０を高周波電流発生装置５１に接続することで電磁ノイズが抑制されるタイプの高周波処置具５０'の両方を取り替えて使用する場合にも、導通ケーブル５２を着脱させるだけで済み、従来の煩雑なケーブル取替作業は不要となる。これにより、操作性が向上し、迅速な内視鏡検査を行なえる。
【００２６】
　図６は、本発明の第２実施形態による電子内視鏡装置の帰還端子付近の構造を示している。第２実施形態は、バネ部材の弾性力により導通ケーブル５２と帰還端子２０を着脱自在とする押込式コネクタ５３を設けた点において、第１実施形態とは異なる。この押込式コネクタ５３以外の構成は第１実施形態と同じであり、第１実施形態と同じ構成要素に対しては図１と同じ符号を付してある。
【００２７】
　押込型コネクタ５３は、一方の開口端５４ａに帰還端子２０を着脱自在に保持するＣ型円筒バネ部材５４と、導通ケーブル５２の先端５２ａに固定した導電性部材５５と、この導電性部材５５を支持する支持部材５６と、外装カバー５７とを有している。Ｃ型円筒バネ部材５４は、略中空円筒形状をなし、その軸線方向に細長の切り欠け５４ｃを有している。図７に示すようにＣ型円筒バネ部材５４を軸線方向に対して垂直に切断したとき、その断面が略Ｃ型形状をなす。このＣ型円筒バネ部材５４は、自然状態（帰還端子２０を装着していない状態）で内径が帰還端子２０の雄ねじ部２０ａの外径よりも小さく、帰還端子２０を装着した状態では該Ｃ型円筒バネ部材５４の内周側へ向かう方向に弾性力がはたらき、弾性力によって帰還端子２０を締め付ける。
【００２８】
　導電性部材５５は、導通ケーブル５２の先端５２ａを内挿した小径円筒部５５ａと、導通ケーブル５２を帰還端子２０に接続したとき帰還端子２０の突起部材２２を押込位置まで押し込む突起部５５ｃと、この小径円筒部５５ａと突起部５５ｃを接続する中継円柱部５５ｂとを有している。支持部材５６には、その軸線方向に貫通する支持穴５６ａが内周面に形成され、Ｃ型円筒バネ部材５４の他方の開口端５４ｂを支持する支持溝５６ｂが外縁に形成されている。この支持部材５６は、支持穴５６ａに導電性部材５５の中継円柱部５５ｂと突起部５５ｃを挿通させることにより、導電性部材５５（突起部５５ｃ）の先端面をＣ型円筒バネ部材５４の中空内に露出させた状態で導電性部材５５を支持する。導電性部材５５の突起部５５ｃには、支持穴５６ａに当接する抜け止め用の突縁部５５ｄが形成されている。外装カバー５７は、Ｃ型円筒バネ部材５４の他方の開口端５４ｂと支持部材５６と導電性部材５５と導通ケーブル５２とを一体に保持する。この外装カバー５７により、支持部材５６及び導電性部材５５はすべて覆われ、外方には露出しない。外方に露出するのは、図６（ｂ）に示すように外装カバー５７と導通ケーブル５２とＣ型円筒バネ部材５４のみである。
【００２９】
　上記押込式コネクタ５３は、Ｃ型円筒バネ部材５４内に帰還端子２０の雄ねじ部２０ａを押し込むことにより、導電性部材５５を介して帰還端子２０の突起部材２２を押込位置で保持し、導通ケーブル５２と帰還端子２０を接続する。すると、Ｃ型円筒バネ部材５４の弾性力が帰還端子２０を締め付ける方向にはたらき、押込式コネクタ５３は抜け止めされる。この接続状態において、所定以上の力で導通ケーブル５２を帰還端子２０から離す方向へ引きぬけば、Ｃ型円筒バネ部材５４の弾性力に抗して帰還端子２０が外れ、容易に導通ケーブル５２と帰還端子２０の接続を解除することができる。
【００３０】
　このようにＣ型円筒バネ部材５４の弾性力を利用して導通ケーブル５２と帰還端子２０を着脱自在とすれば、導通ケーブル５２と帰還端子２０の着脱動作がより容易となり、第１実施形態よりも操作性がさらに向上する。
【００３１】
　図８は、本発明の第３実施形態による電子内視鏡装置の帰還端子付近の構造を示している。第３実施形態は、第２実施形態とは別の態様による押込式コネクタ１５３を設けた点において、第１実施形態とは異なる。この押込式コネクタ１５３以外の構成は第１実施形態と同じであり、第１実施形態と同じ構成要素に対しては図１と同じ符号を付してある。
【００３２】
　押込式コネクタ１５３は、帰還端子２０を弾性力により着脱自在に保持するスナップリング１５４と、導通ケーブル５２の先端５２ａに固定した導電性部材１５５と、この導電性部材１５５を支持する第１外装カバー１５６と、この第１外装カバー１５６に取付けられた第２外装カバー１５７とを有している。スナップリング１５４は、図８に示すように円環の一部を切り欠いたＣ型形状をなし、弾性材料により形成されている。このスナップリング１５４は、自然状態（帰還端子２０を装着していない状態）で内径が帰還端子２０の雄ねじ部２０ａの外径よりも小さく、帰還端子２０を装着した状態では該スナップリング１５４の内周側へ向かう方向に弾性力がはたらき、該弾性力によって帰還端子２０を締め付ける。
【００３３】
　導電性部材１５５は、導通ケーブル５２の先端５２ａを内挿した小径円筒部１５５ａと、導通ケーブル５２を帰還端子２０に接続したとき帰還端子２０の突起部材２２を押込位置まで押し込む突起部１５５ｃと、この小径円筒部１５５ａと突起部１５５ｃを接続する中継円柱部１５５ｂとを有している。突起部１５５ｃには、第１外装カバー１５６の大径挿通穴１５６ｃに当接する抜け止め用の突縁部１５５ｄが形成されている。第１外装カバー１５６は、保護カバーとしての機能と導電性部材１５５の支持部材としての機能を有し、その軸線方向に貫通して形成された挿通穴を備えている。この挿通穴は、導電性部材１５５と導通ケーブル５２の接続部を支持する小径挿通穴１５６ａと、該小径挿通穴１５６ａに連通して導電性部材１５５を支持する中径挿通穴１５６ｂと、該中径挿通穴１５６ｂに連通して導電性部材１５５の先端面を露出させ、且つ、帰還端子２０を嵌合自在な大径挿通穴１５６ｃとにより形成されている。また第１外装カバー１５６には、大径挿通穴１５６ｃが開口する一端部側に位置させて、第２外装カバー１５７を支持する嵌合溝１５６ｄと支持突起１５６ｅが形成されている。これら嵌合溝１５６ｄ及び支持突起１５６ｅを介して、第２外装カバー１５７は中継挿通穴１５７ａに上述のスナップリング１５４を挟み込んだ状態で、第１外装カバー１５６に取り付けられている。中継挿通穴１５７ａは、帰還端子２０を挿通可能な大きさで形成されており、第１外装カバー１５６の大径挿通穴１５６ｃに連通している。
【００３４】
　上記押込式コネクタ１５３は、帰還端子２０の雄ねじ部２０ａをスナップリング１５４の弾性力に抗して大径挿通穴１５６ｃ内に押し込むことにより、導電性部材５５を介して帰還端子２０の突起部材２２を押込位置で保持し、導通ケーブル５２と帰還端子２０を接続する。このとき、スナップリング１５４の弾性力は帰還端子２０を締め付ける方向にはたらき、押込式コネクタ１５３は抜け止めされる。すなわち、帰還端子２０の雄ねじ部２０ａは大径挿通穴１５６ｃ内で保持され、所定以上の力が加えられない限り大径挿通穴１５６ｃから抜けないようになっている。そして、所定以上の力で導通ケーブル５２を帰還端子２０から離す方向へ引き抜けば、スナップリング１５４の弾性力に抗して帰還端子２０が外れ、容易に導通ケーブル５２と帰還端子２０の接続を解除することができる。
【００３５】
　このようにスナップリング１５４の弾性力を利用して導通ケーブル５２と帰還端子２０を着脱自在とすれば、導通ケーブル５２と帰還端子２０の着脱動作がより容易となり、第１実施形態よりも操作性がさらに向上する。また本実施形態では、帰還端子２０の雄ねじ部２０ａを大径挿通穴１５６ｃに保持した状態でスナップリング１５４により帰還端子２０を締め付けているので、第２実施形態よりも抜けづらくなる。
【００３６】
　以上の第２及び第３実施形態では、押込型コネクタを導通ケーブル５２側に設けているが、導通ケーブル５２又は帰還端子２０のいずれか一方に設けられていればよく、帰還端子２０側に設けることも可能である。
【００３７】
　また各実施形態では、電子内視鏡１０のコネクタ部１４に帰還端子２０を設けているが、帰還端子を設ける位置は、プロセッサ側のコネクタ部、プロセッサ本体または電子内視鏡本体であってもよい。また本実施形態では、コンデンサ接地ケーブル３２をプロセッサ３０に内蔵してあるが、プロセッサ３０に対して着脱可能な外付けタイプであってもよい。
【００３８】
　以上、図示実施形態を参照して本発明を説明したが、本発明の電子内視鏡装置は図示実施形態に限定されるものではない。
【図面の簡単な説明】
【００３９】
【図１】本発明を適用した電子内視鏡装置の全体構成図であり、帰還端子がプロセッサのグランド端子に接続されている場合を示している。
【図２】図１に示す電子内視鏡の挿入部先端面を示す平面図である。
【図３】本発明を適用した電子内視鏡装置の全体構成図であり、帰還端子が高周波電流発生装置に接続されている場合を示している。
【図４】図１に示す導通状態での帰還端子付近の構造を示す部分断面図である。
【図５】図３に示す非導通状態での帰還端子付近の構造を示す部分断面図である。
【図６】（ａ）図３に示す非導通状態での帰還端子付近（＝押込式コネクタ付近）の構造を示す部分断面図である。　（ｂ）同帰還端子付近の構造を示す上面図である。
【図７】Ｃ型円筒バネ部材の横断面図である。
【図８】（ａ）図３に示す非導通状態での、図５とは別態様による押込式コネクタの構造を示す部分断面図である。　（ｂ）同帰還端子付近の構造を示す上面図である。
【図９】スナップリングを示す平面図である。
【符号の説明】
【００４０】
１０　電子内視鏡
１１　挿入部
１４　コネクタ部
１８　処置具挿通チャンネル
１８ａ　処置具挿通チャンネル出口
１９　処置具挿入突起
２０　帰還端子
２１　ばね部材
２２　突起部材
２３　スイッチ端子
２４　スイッチ基板
３０　プロセッサ
３１　等電位端子（グランド端子）
３２　コンデンサ接地ケーブル
４０　ＴＶモニタ
５０　高周波処置具
５１　高周波電流発生装置
５２　導通ケーブル
５３　押込式コネクタ
５４　Ｃ型円筒バネ部材（板バネ部材）
５５　導電性部材
５６　支持部材
５７　外装カバー
５９　ナット
１５３　押込式コネクタ
１５４　導電性部材
１５５　第１外装カバー
１５６　第２外装カバー
【図１】
2004130126.tif 000003
【図２】
2004130126.tif 000004
【図３】
2004130126.tif 000005
【図４】
2004130126.tif 000006
【図５】
2004130126.tif 000007
【図６】
2004130126.tif 000008
【図７】
2004130126.tif 000009
【図８】
2004130126.tif 000010
【図９】
2004130126.tif 000011